【手続補正書】
【提出日】平成19年8月27日(2007.8.27)
【手続補正１】
【補正対象書類名】明細書
【補正対象項目名】発明の名称
【補正方法】変更
【補正の内容】
【発明の名称】デジタルカメラ、デジタルカメラの制御方法
【手続補正２】
【補正対象書類名】明細書
【補正対象項目名】特許請求の範囲
【補正方法】変更
【補正の内容】
【特許請求の範囲】
【請求項１】  撮影モードで画像を取得する撮影手段と、
印刷モードの場合にプリンタに印刷対象の画像を出力する出力手段と、
印刷モードの場合に印刷の進行状況を所定の表示手段に表示させる表示制御手段を有し、
前記表示制御手段は、印刷モードで印刷の進行状況を表示している時に撮影モードが開始された場合には、印刷の進行状況と前記撮影手段により取得される画像とを前記表示手段に同時に表示させることを特徴とするデジタルカメラ。
【請求項２】  前記デジタルカメラは、前記プリンタとケーブルにより接続されることを特徴とする請求項１に記載のデジタルカメラ。
【請求項３】  前記表示制御手段は、前記印刷の進行状況として、印刷中の画像を少なくとも印刷終了部分を識別できるように表示することを特徴とする請求項１に記載のデジタルカメラ。
【請求項４】  前記表示制御手段は、印刷の進行状況と前記撮影手段により取得される画像とを前記表示手段に同時に表示させる場合には、前記印刷の進行状況よりも前記画像を大きく表示させることを特徴とする請求項１に記載のデジタルカメラ。
【請求項５】  前記表示制御手段は、撮影モードの継続中に印刷モードが終了した場合には、印刷の進行状況と前記撮影手段により取得される画像との同時表示を停止し、前記画像だけを前記表示手段に表示することを特徴とする請求項１に記載のデジタルカメラ。
【請求項６】  撮影モードで画像を取得する撮影手段と、
前記撮影手段により取得された画像を所定の記憶媒体に記憶させる記憶制御手段と、  
印刷モードの場合にプリンタに印刷対象の画像を出力する出力手段と、
再生モードの場合に前記記憶媒体から再生対象の画像を読出す読出手段と、
印刷モードの場合に印刷の進行状況を所定の表示手段に表示させる表示制御手段を有し、
前記表示制御手段は、印刷モードで印刷の進行状況を表示している時に再生モードが開始された場合には、印刷の進行状況と前記読出手段により読出される画像とを前記表示手段に同時に表示させることを特徴とするデジタルカメラ。
【請求項７】  前記デジタルカメラは、前記プリンタとケーブルにより接続されることを特徴とする請求項６に記載のデジタルカメラ。
【請求項８】  前記表示制御手段は、前記印刷の進行状況として、印刷中の画像を少なくとも印刷終了部分を識別できるように表示することを特徴とする請求項６に記載のデジタルカメラ。
【請求項９】  前記表示制御手段は、印刷の進行状況と前記読出手段により読出される画像とを前記表示手段に同時に表示させる場合には、前記印刷の進行状況よりも前記画像を大きく表示させることを特徴とする請求項６に記載のデジタルカメラ。
【請求項１０】  前記表示制御手段は、再生モードの継続中に印刷モードが終了した場合には、印刷の進行状況と前記読出手段により読出される画像との同時表示を停止し、前記画像だけを前記表示手段に表示することを特徴とする請求項６に記載のデジタルカメラ。
【請求項１１】  撮影モードで画像を取得する撮影工程と、
印刷モードの場合にプリンタに印刷対象の画像を出力する出力工程と、
印刷モードの場合に印刷の進行状況を所定の表示手段に表示させる表示制御工程を有し、
前記表示制御工程は、印刷モードで印刷の進行状況を表示している時に撮影モードが開始された場合には、印刷の進行状況と前記撮影工程により取得される画像とを前記表示手段に同時に表示させることを特徴とするデジタルカメラの制御方法。
【請求項１２】  撮影モードで画像を取得する撮影工程と、
前記撮影工程により取得された画像を所定の記憶媒体に記憶する記憶制御工程と、
印刷モードの場合にプリンタに印刷対象の画像を出力する出力工程と、
再生モードの場合に前記記憶媒体から再生対象の画像を読出す読出工程と、
印刷モードの場合に印刷の進行状況を所定の表示手段に表示させる表示制御工程を有し、
前記表示制御工程は、印刷モードで印刷の進行状況を表示している時に再生モードが開始された場合には、印刷の進行状況と前記読出工程により読出される画像とを前記表示手段に同時に表示させることを特徴とするデジタルカメラの制御方法。
【手続補正３】
【補正対象書類名】明細書
【補正対象項目名】０００７
【補正方法】変更
【補正の内容】
【０００７】
【課題を解決するための手段】
上記課題を解決するため、本発明に係るデジタルカメラは、撮影モードで画像を取得する撮影手段と、印刷モードの場合にプリンタに印刷対象の画像を出力する出力手段と、印刷モードの場合に印刷の進行状況を所定の表示手段に表示させる表示制御手段を有し、前記表示制御手段は、印刷モードで印刷の進行状況を表示している時に撮影モードが開始された場合には、印刷の進行状況と前記撮影手段により取得される画像とを前記表示手段に同時に表示させるように構成されている。
また、本発明に係るデジタルカメラの制御方法は、撮影モードで画像を取得する撮影工程と、印刷モードの場合にプリンタに印刷対象の画像を出力する出力工程と、印刷モードの場合に印刷の進行状況を所定の表示手段に表示させる表示制御工程を有し、前記表示制御工程は、印刷モードで印刷の進行状況を表示している時に撮影モードが開始された場合には、印刷の進行状況と前記撮影工程により取得される画像とを前記表示手段に同時に表示させるように構成されている。
【手続補正４】
【補正対象書類名】明細書
【補正対象項目名】０００８
【補正方法】変更
【補正の内容】
【０００８】
また、本発明に係るデジタルカメラは、前記撮影手段により取得された画像を所定の記憶媒体に記憶する記憶制御手段と、印刷モードの場合にプリンタに印刷対象の画像を出力する出力手段と、再生モードの場合に前記記憶媒体から再生対象の画像を読出す読出手段と、印刷モードの場合に印刷の進行状況を所定の表示手段に表示させる表示制御手段を有し、前記表示制御手段は、印刷モードで印刷の進行状況を表示している時に再生モードが開始された場合には、印刷の進行状況と前記読出手段により読出される画像とを前記表示手段に同時に表示させるように構成されている。
また、本発明に係るデジタルカメラの制御方法は、撮影モードで画像を取得する撮影工程と、前記撮影工程により取得された画像を所定の記憶媒体に記憶する記憶制御工程と、印刷モードの場合にプリンタに印刷対象の画像を出力する出力工程と、再生モードの場合に前記記憶媒体から再生対象の画像を読出す読出工程と、印刷モードの場合に印刷の進行状況を所定の表示手段に表示させる表示制御工程を有し、前記表示制御工程は、印刷モードで印刷の進行状況を表示している時に再生モードが開始された場合には、印刷の進行状況と前記読出工程により読出される画像とを前記表示手段に同時に表示させるように構成されている。
【手続補正５】
【補正対象書類名】明細書
【補正対象項目名】０００９
【補正方法】削除
【補正の内容】
【手続補正６】
【補正対象書類名】明細書
【補正対象項目名】００４０
【補正方法】変更
【補正の内容】
【００４０】
【発明の効果】
以上説明したように、本発明によれば、本発明に係るデジタルカメラは、撮影モードで画像を取得する撮影手段と、印刷モードの場合にプリンタに印刷対象の画像を出力する出力手段と、印刷モードの場合に印刷の進行状況を所定の表示手段に表示させる表示制御手段を有し、前記表示制御手段は、印刷モードで印刷の進行状況を表示している時に撮影モードが開始された場合には、印刷の進行状況と前記撮影手段により取得される画像とを前記表示手段に同時に表示させるので、デジタルカメラにて撮影された画像をダイレクトプリント方式で印刷している際にデジタルカメラの表示部を有効に利用することが可能となる。